(57)【要約】【課題】  ワックスや化学物質の熱による融解現象を利用した発色により、設定温度超過の事実を不可逆的に表示する感温ラベルにおいては、種々の原因により不完全な発色がおこる場合があり、これを設定温度超過による正規の発色と見誤り、設定温度超過と誤認してしまう場合があった。【解決手段】  直鎖状炭化水素を主体とするワックスや熱によって融解する各種化学物質の融解現象を利用して、設定温度を超えたときに発色して設定温度超過の事実を不可逆的に表示する短冊状をなした感温ラベルの表面側側縁に、発色したときとほぼ同じ色相を有する帯状の着色部分を設けた。【選択図】  図４
2019200111.tif 000002
【特許請求の範囲】
【請求項１】
炭化水素を主体とするワックスや熱によって融解する各種化学物質の融解現象を利用して、設定温度を超えたときに発色して設定温度超過の事実を不可逆的に表示する短冊状をなした感温ラベルの表面側側縁に、発色したときとほぼ同じ色相を有する帯状の着色部分を設けたことを特徴とする感温ラベル。
【請求項２】
着色部分の形成が、ホットプレスによる事前加熱によって行われることを特徴とする請求項１記載の感温ラベル。
【発明の詳細な説明】
【技術分野】
【０００１】
この発明は感温ラベル、詳しくは、温度管理を必要とする各種機器類の所望箇所に貼り付け、設定温度に達したとき、発色してその事実を不可逆的に表示する感温ラベルに関するものである。
【背景技術】
【０００２】
あらかじめ設定された温度で融解する直鎖状炭化水素を主体とするワックスや各種化学物質からなる不透明なマスキング材を色紙（いろがみ）の上に重ね合わせ、設定温度を超えたとき、ワックスや化学物質の融解現象によって、それまで外部からは遮蔽されて見えていなかった色紙の彩色面が透けて見える様にした感温ラベルは、電源を必要とせず、貼り付けるだけで手軽に温度管理が出来るので、多くの産業分野において広く使用されている。
【先行技術文献】
【特許文献】
【０００３】
【特許文献１】特許第４７８９０８３号公報
【特許文献２】特開２００１−８３０２０号公報
【特許文献３】特開２００３−１７２６６１号公報
【特許文献４】特開平１０−２３２１７２号公報
【特許文献５】実開昭５８−７１１３４号公報
【非特許文献】
【０００４】
【非特許文献１】なし
【発明の開示】
【発明が解決しようとする課題】
【０００５】
ワックスや各種化学物質の熱による融解現象を利用した感温ラベルは、上記各文献に表示されている通り、数多く提案され、各種産業分野において広く使用されているが、発色にむらが生じたり、不適切な取扱いに起因して、設定温度を超過していないにもかかわらず、発色したかの如く見える場合もあり、正確な温度管理に支障を来すことがあった。
つまり、製造不良や不適切な取扱いなどにより、図１に示す様に部分的に不完全発色７が発現した場合や、表面が強く擦れたり、打撃されたりして、図２に示す様な擦り跡８や図３に示す様な打痕９が発現した場合には、監視者が正規な発色と誤解し、設定温度を超過したと判断してしまうのである。
【０００６】
感温ラベルの貼付箇所が監視者のすぐ近くであれば正規の発色であるか否か比較的正確に判別することが可能であるが、貼付箇所に近づくことが出来ず、離れた場所から感温ラベルの発色を確認しなければならない場合もあり、この様な状況下においては、図１乃至図３に示す様な場合を正規の発色と見分けるのは非常にむずかしかった。
【０００７】
感温ラベルは、電力線や鉄道施設などでも多く使用されているが、これらにおいては、通常の場合、その貼付箇所は監視位置から数メートル以上も上方であることが多く、点検作業中何十枚、何百枚もの感温ラベルの発色状況を逐次離れた位置から迅速かつ正確に確認することは熟練者でもかなりむずかしかった。
【０００８】
本発明者は、感温ラベルの上記問題点を解決すべく鋭意研究した結果、低コストで製造可能ながら、正規の発色であるか否か、離れた位置からでも正確かつ迅速に知ることが出来る便利な感温ラベルを開発することに成功し、本発明としてここに提案するものである。
【課題を解決するための手段】
【０００９】
炭化水素を主体とするワックスや熱によって融解する各種化学物質の融解現象を利用して、設定温度を超えたときに発色して設定温度超過の事実を不可逆的に表示する短冊状をなした感温ラベルの表面側側縁に、発色したときとほぼ同じ色相を有する帯状の着色部分を設けることにより、上記課題を解決した。
【発明の効果】
【００１０】
従来の感温ラベルと同様に、温度管理を必要とする機器の所望箇所に貼付して使用に供するものであり、設定温度を超過すると、マスキング材中の粉末状のワックスや化学物質が融解し、相互に集合して液状のワックスや化学物質になり、この相の変化によって、それまで不透明であったマスキング材が透明に変化し、その下方に位置している色紙の彩色面が透けて見えて発色状態となり、これにより設定温度超過の事実を知ることが出来る様になる。
【００１１】
このとき、この感温ラベルの表面側の側縁には、色紙の彩色面とほぼ同じ色相の帯状を呈した着色部分が形成されており、図１乃至図３に示す不完全発色、擦り跡、打痕の場合は正規の発色とは色相が異なり、色の濃さ（彩度）も違うので、この着色部分の色相と発色状態になった部分の色相とを比較すれば、設定温度超過による正規の発色であるか否か、容易に確認することが出来、確認作業をより正確に行うことが可能となる。
【００１２】
特に、電力線や各種鉄道施設など、近づくことが出来ず、離れた場所から確認作業を行わなければならない場合において、この着色部分６との比較による正規の発色であるか否かの判別は非常に有効であり、感温ラベル表面に単に着色部分を形成するだけであるので、低コストで製造可能であるにもかかわらず、離れた場所からの判別作業に正確さ、迅速さをもたらし、作業能率の飛躍的向上を実現させる効果を有する。
【図面の簡単な説明】
【００１３】
【図１】不完全発色７が発現した感温ラベルの一例の斜視図。
【図２】不適切な取扱いなどに起因して擦り跡８が生じた感温ラベルの一例の斜視図。
【図３】不適切な取扱などに起因して打痕９が生じた感温ラベルの一例の斜視図。
【図４】この発明に係る感温ラベルの一実施例の斜視図。
【図５】図４における矢視Ａ−Ａ線拡大断面図。
【図６】一部を切欠いて描いたこの発明に係る感温ラベルの一実施例の部分拡大断面図。
【発明を実施するための形態】
【００１４】
短冊状をなした感温ラベルの表面側側縁に、正規に発色したときとほぼ同じ色相を有する帯状の着色部分をあらかじめ形成したした点に最大の特徴が存する。
【実施例１】
【００１５】
図４はこの発明に係る感温ラベルの斜視図、図５は図４における矢視Ａ−Ａ線拡大断面図、一部を切欠いて描いた部分拡大断面図である。
図中１は短冊状をなした基板であり、図６に示す様に、この基板１上には色紙（いろがみ）２がその彩色面３を上方すなわち表面側に向けて貼付されており、この色紙２の彩色面３上には、あらかじめ設定された任意の温度で融解する直鎖状炭化水素を主体とするワックスを粉状にしたものと粘ちょう剤及び溶剤とを練り合わせたワックス混合物からなる不透明なマスキング材４が塗布されており、その上を透明フィルム５が覆っている。
【００１６】
なお、上記構成は前記特許文献１などに開示されている従来の感温ラベルを基本的に同じである。
又、直鎖状炭化水素を主体とするワックスの代わりに、トリラウリン、ミリスチン酸、ベヘン酸、ステアリン酸アミドなど、特定の温度で融解する化学物質を用いても良い。
【００１７】
更に、図４に示す様に、この温度ラベルの表面側の側縁には色紙２の彩色面３とほぼ同じ色相の帯状を呈した着色部分６が形成されている。
この着色部分６は、この感温ラベルが設定温度超過によって正規に発色したときとほぼ同じ色相であることが肝要であり、同じ色相を有する帯状の色紙をマスキング材５の上に重ね合わせてこの着色部材６を形成したり、マスキング材５のこの着色部材６に相当する箇所をホットプレスなどで予め加熱し、この部分だけを予め発色されて帯状の着色部材６としても良い。
なお、この実施例においては着色部分６は一つの側縁にのみに形成したが、対向した一対の側縁や、ほかの側縁にも形成しても良い。
【００１８】
この実施例は上記の通りの構成を有し、従来の感温ラベルと同様に、温度管理を必要とする機器の所望箇所に貼付して使用に供するものであり、設定温度を超過すると、マスキング材４中の粉末状のワックスや化学物質が融解し、相互に集合して液状のワックスや化学物質になり、この相の変化によって、それまで不透明であったマスキング材が透明に変化し、その下方に位置している色紙２の彩色面３が透けて見えて発色状態となり、これにより設定温度超過の事実を知ることが出来る様になる。
【００１９】
このとき、この感温ラベルの表面側の側縁には、色紙２の彩色面３とほぼ同じ色相の帯状を呈した着色部分６が形成されており、図１乃至図３に示す不完全発色７、擦り跡８、打痕９の場合は正規の発色とは色相が異なり、色の濃さ（彩度）も違うので、この着色部分６の色相と発色状態になった本体部分の色相とを比較すれば、設定温度超過による正規の発色であるか否か、容易に確認することが出来る。特に、着色部分６の形成がホットプレスなどによる事前加熱によって行われた場合は、着色部分６の色相は正規の発色の際の色相と全く同じであるので、色相の比較による確認作業がより確実、正確に行える。
【００２０】
特に、電力線や各種鉄道施設など、近づくことが出来ず、離れた場所から確認作業を行わなければならない場合おいて、この着色部分６との比較による正規の発色であるか否かの判別は非常に有効であり、感温ラベルに単に着色部分６を形成するだけであるので、低コストで製造可能であるにもかかわらず、離れた場所からの判別作業に正確さ、迅速さをもたらし、作業能率の飛躍的向上を実現させる効果を有する。
【産業上の利用可能性】
【００２１】
電力業界、鉄道運送業界、食品製造業界はじめ、温度管理を必要とするあらゆる分野において利用可能である。
【符号の説明】
【００２２】
１．基板
２．色紙（いろがみ）
３．彩色面
４．マスキング材
５．透明フィルム
６．着色部分
７．不完全発色
８．擦り跡
９．打痕
【図１】
2019200111.tif 000003
【図２】
2019200111.tif 000004
【図３】
2019200111.tif 000005
【図４】
2019200111.tif 000006
【図５】
2019200111.tif 000007
【図６】
2019200111.tif 000008